(57)【要約】【課題】空調室の天井に埋め込み又は吊り下げによって装着された空気調和装置において、空調室外から取り入れることが可能な空気の量を増やす。【解決手段】空調室の天井に埋め込み又は吊り下げによって装着された空気調和装置１は、ケーシング２と、化粧パネル３と、送風機４とを備えている。ケーシング２は、空調室外から空気を取り入れる取入口１０と、取入口１０から導入された空気が流れる連絡流路１３とを有している。化粧パネル３は、ケーシング２の下側に設けられ、空調室内の空気をケーシング２内に吸入するための吸入口３１と、ケーシング２内から空調室内に空気を吹き出すための吹出口３２とを有している。そして、化粧パネル３は、連絡流路１３を流れる空気を吸入口３１から吸入される空気に合流させる取入流路３５をさらに有している。【選択図】      図２
2004198014.tif 000002
【特許請求の範囲】
【請求項１】
空調室の天井に埋め込み又は吊り下げによって装着された空気調和装置（１、１０１）であって、
空調室外から空気を取り入れる取入口（２３）と、前記取入口から導入された空気が流れる連絡流路（１３）とを有するケーシング（２）と、
前記ケーシングの下側に設けられ、空調室内の空気を前記ケーシング内に吸入するための吸入口（３１）と、前記ケーシング内から空調室内に空気を吹き出すための吹出口（３２）とを有する化粧パネル（３）と、
前記ケーシング内に配置され、空調室内の空気を前記吸入口から前記ケーシング内に吸入し、吸入された空気を前記吹出口から空調室内に吹き出す送風機（４）とを備え、
前記化粧パネルは、前記連絡流路を流れる空気を前記吸入口から吸入された空気に合流させる取入流路（３５）をさらに有している、
を備えた空気調和装置（１、１０１）。
【請求項２】
前記ケーシング（２）と前記化粧パネル（３）との上下方向間には、貫通孔（１４ａ）を有する断熱部材（１４）がさらに設けられており、
前記連絡流路（１３）と前記取入流路（３５）とは、前記貫通孔を介して連通されている、
請求項１に記載の空気調和装置（１、１０１）。
【請求項３】
前記化粧パネル（３）は、前記吸入口（３１）に装着されたフィルタ（３４）をさらに有しており、
前記取入流路（３５）は、前記フィルタの上側において、前記連絡流路（１３）を流れる空気を前記吸入口から吸入される空調室内の空気に合流させるように設けられている、請求項１又は２に記載の空気調和装置（１、１０１）。
【請求項４】
前記化粧パネル（３）は、平面視において、略４角形状であり、
前記吹出口（３２）は、前記化粧パネルの各辺に対応するように設けられており、
前記取入流路（３５）は、前記化粧パネルの角部に設けられている、
請求項１〜３のいずれかに記載の空気調和装置（１、１０１）。
【請求項５】
前記化粧パネル（３）の角部と前記ケーシング（２）との上下方向間には、前記ケーシングに前記化粧パネルを支持させる支持部材（１７）が配置されており、
前記支持部材（１７）は、前記ケーシングの平面視において、前記連絡流路（１３）と重なる部分が切り欠かれている、
請求項４に記載の空気調和装置（１、１０１）。
【請求項６】
前記ケーシング（２）は、平面視において、長辺と短辺とが交互に形成された略８角形状であり、
前記ケーシングの長辺は、前記化粧パネル（３）の各辺に対応するように配置されており、
前記取入口（２３）は、前記ケーシングの長辺に対応して設けられている、
請求項４又は５に記載の空気調和装置（１０１）。
【発明の詳細な説明】
【０００１】
【発明の属する技術分野】
本発明は、空気調和装置、特に、空調室の天井に埋め込み又は吊り下げによって装着された空気調和装置に関する。
【０００２】
【従来の技術】
従来から空調室の天井に埋め込み又は吊り下げによって装着された空気調和装置において、空調室外の新鮮な空気を取り入れることが可能になっている装置がある。
この種の天井埋込型の空気調和装置は、内部に各種構成機器を収納するケーシングと、ケーシングの下側に配置された化粧パネルとを備えている。この空気調和装置のケーシングは、空調室の天井に形成された開口に挿入されて配置されている。また、化粧パネルは、天井の開口に嵌め込まれるように配置されている。
【０００３】
ケーシングは、長辺と短辺とが交互に形成された略８角形状の天板と、天板の周縁部から下方に延びる側板とを有している。この側板は、天板の長辺に対応する第１側板と、天板の短辺に対応する第２側板とから構成されている。
化粧パネルは、略４角形状であり、その略中央に空調室内の空気を吸入するための吸入口と、４角形の各辺に対応するように設けられた吹出口とを有している。そして、化粧パネルの各辺は、ケーシングの各長辺に対応するように配置されている。
【０００４】
ケーシングは、その内部に、化粧パネルの吸入口から空調室内の空気を吸入して外周方向に吹き出す送風機と、送風機の外周を囲むように装着された熱交換器とを備えている。
熱交換器の下側には、ケーシングの下部に固定されたドレンパンが配置されている。ドレンパンは、化粧パネルの吸入口に対応するように形成された吸入孔と、化粧パネルの吹出口に対応するように形成された吹出孔とを有している。また、熱交換器の上端部とケーシングの天板との間には、ケーシング断熱材が挟まれるように配置されている。ケーシング断熱材は、熱交換器の上端部とケーシングの天板との間から外側に向かって延び、ケーシングの側板の内面を覆うように配置されている。
【０００５】
そして、ケーシングの第２側板の１つには、取入口が設けられており、空調室外から新鮮な空気を取り入れるための取入ダクトが接続されている。ケーシングは、ケーシング断熱材を上下方向に貫通する等によって設けられた連絡流路を有しており、取入口から導入された空気をケーシングの下部まで流すことが可能になっている。さらに、ドレンパンと化粧パネルとの上下方向間には、連絡流路を流れる空気を化粧パネルの吸入口から吸入された空調室内の空気に合流させる取入流路が形成されている。これにより、空調室外の新鮮空気は、取入ダクト、取入口、連絡流路及び取入流路を通り、空調室内の空気と合流して、送風機に吸入されるようになっている（例えば、特許文献１参照。）。
【０００６】
【特許文献１】
登録実用新案第２５３５５８８号公報（第２頁、第１−２図）
【０００７】
【発明が解決しようとする課題】
上記従来の空気調和装置では、取入流路がドレンパンの下面に連絡流路と吸入孔と連通させる溝（取入流路）を形成する等により形成されている。このため、空調室外から取り入れる新鮮空気の量を増加させようとして、取入ダクト、取入口及び連絡流路の流路面積を大きくしても、これらの流路面積に見合う取入流路の流路面積を確保できない場合が生じている。
【０００８】
具体的には、連絡流路と吸入孔と連通させる溝の溝深さを大きくして取入流路の流路面積を大きくしようとすると、ドレンパンの上下方向の寸法を大きくする必要があるが、天井埋込型や天井吊下型の空気調和装置では、天井裏のスペースに起因する高さ方向サイズの制約により、十分な流路面積を確保できない場合がある。
【０００９】
また、連絡流路と吸入孔と連通させる溝の溝幅を大きくして取入流路の流路面積を大きくしようとすると、ドレンパンの吹出孔と溝とが干渉してしまう。これを避けるために、ドレンパンの吹出孔のサイズを小さくすると、ケーシング内から空調室内に吹き出される空気の通風抵抗が増加するという問題が生じる。
このように、従来の空気調和装置では、取入流路の流路面積を大きくすることができず、取入ダクト、取入口及び連絡流路の流路面積を大きくしても、空調室外から取り入れることが可能な新鮮空気の量を増やすことが困難になっている。
【００１０】
本発明の課題は、空調室の天井に埋め込み又は吊り下げによって装着された空気調和装置において、空調室外から取り入れることが可能な空気の量を増やすことにある。
【００１１】
【課題を解決するための手段】
請求項１に記載の空気調和装置は、空調室の天井に埋め込み又は吊り下げによって装着された空気調和装置であって、ケーシングと、化粧パネルと、送風機とを備えている。ケーシングは、空調室外から空気を取り入れる取入口と、取入口から導入された空気が流れる連絡流路とを有している。化粧パネルは、ケーシングの下側に設けられ、空調室内の空気をケーシング内に吸入するための吸入口と、ケーシング内から空調室内に空気を吹き出すための吹出口とを有している。送風機は、ケーシング内に配置され、空調室内の空気を吸入口からケーシング内に吸入し、吸入された空気を吹出口から空調室内に吹き出す。そして、化粧パネルは、連絡流路を流れる空気を吸入口から吸入される空気に合流させる取入流路をさらに有している。
【００１２】
この空気調和装置では、空調室内の空気は、送風機を運転することにより、化粧パネルの吸入口からケーシング内に吸入され、空気調和された後、化粧パネルの吹出口から空調室内に吹き出される。また、空調室外の空気は、ケーシングの取入口から連絡流路及び取入流路を通じて、化粧パネルの吸入口から吸入される空気に合流して送風機に吸入される。
【００１３】
ここで、取入流路は、従来のような取入流路がドレンパンと化粧パネルとの上下方向間の狭いスペースに設けられている場合に比べて、上下方向のスペースに余裕がある化粧パネルに設けられているため、流路面積を大きくすることが可能である。
これにより、この空気調和装置では、空調室外から取り入れることが可能な空気の量を増やすことが可能である。
【００１４】
請求項２に記載の空気調和装置は、請求項１において、ケーシングと化粧パネルとの上下方向間には、貫通孔を有する断熱部材がさらに設けられている。連絡流路と取入流路とは、貫通孔を介して連通されている。
請求項３に記載の空気調和装置は、請求項１又は２において、化粧パネルは、吸入口に装着されたフィルタをさらに有している。取入流路は、フィルタの上側において、連絡流路を流れる空気を吸入口から吸入される空調室内の空気に合流させるように設けられている。
【００１５】
この空気調和装置では、空調室内の空気は、吸入口から吸入され、さらに、フィルタを通過した後、送風機に吸入される。一方、空調室外から取り入れられる空気は、空調室外における圧力と、空調室内の空気との合流部分における圧力との圧力差に見合った流量だけが流れる。このため、空調室外から取り入れられる空気の量は、フィルタを通過して圧力が低下した空調室内の空気に合流されるほうが、フィルタを通過する前の空調室内の空気に合流される場合よりも多くなる。
【００１６】
このように、この空気調和装置では、空調室外の空気の取り入れ量をさらに増やすことが可能である。
請求項４に記載の空気調和装置は、請求項１〜３のいずれかにおいて、化粧パネルは、平面視において、略４角形状である。吹出口は、化粧パネルの各辺に対応するように設けられている。取入流路は、化粧パネルの角部に設けられている。
【００１７】
この空気調和装置では、取入流路が化粧パネルの角部に設けられているため、吹出口間のスペースを有効に利用することができて、空調室外の空気の取り入れ量をさらに増やすことが可能である。
請求項５に記載の空気調和装置は、請求項４において、化粧パネルの角部とケーシングとの上下方向間には、ケーシングに化粧パネルを支持させる支持部材が配置されている。支持部材は、ケーシングの平面視において、連絡流路と重なる部分が切り欠かれている。
【００１８】
この空気調和装置では、支持部材の連絡流路と重なる部分が切り欠かれているため、連絡流路と取入流路との接続部分の流路面積を小さくすることなく、連絡流路と取入流路とを連通させることができる。このため、例えば、大きな吹出口を有し、ケーシングの角部のスペースが小さくせざるを得ない場合においても、連絡流路から取入流路への空気の流れを確保することができる。
【００１９】
請求項６に記載の空気調和装置は、請求項４又は５において、ケーシングは、平面視において、長辺と短辺とが交互に形成された略８角形状である。ケーシングの長辺は、化粧パネルの各辺に対応するように配置されている。取入口は、ケーシングの長辺に対応して設けられている。
この空気調和装置では、ケーシングの長辺に対応して取入口が設けられており、従来のようなケーシングの短辺に対応して取入口が設けられている場合よりも、取入口の流路面積を大きくすることができるため、空調室外から取り入れられる空気の通風抵抗が少なくなり、取り入れ量をさらに増やすことが可能である。
【００２０】
【発明の実施の形態】
以下、本発明の実施形態について、図面に基づいて説明する。
［第１実施形態］
（１）空気調和装置の全体構成
図１に本発明の第１実施形態の空気調和装置１の外観斜視図（天井は省略）を示す。空気調和装置１は、天井埋込型であり、内部に各種構成機器を収納するケーシング２と、ケーシング２の下側に配置された化粧パネル３とを備えている。具体的には、空気調和装置１のケーシング２は、図２（空気調和装置１の概略側面断面図であって、図３のＡ−Ｏ−Ａ断面図）に示されるように、空調室の天井Ｕに形成された開口に挿入されて配置されている。そして、化粧パネル３は、天井Ｕの開口に嵌め込まれるように配置されている。
【００２１】
ケーシング２は、図２及び図３（空気調和装置１の概略平面断面図であって、図２のＢ−Ｂ断面図）に示されるように、その平面視において、長辺と短辺とが交互に形成された略８角形状であり、長辺と短辺とが交互に形成された略８角形状の天板２１と、天板２１の周縁部から下方に延びる側板２２とを有している。この側板２２は、天板２１の長辺に対応する第１側板２２ａと、天板２１の短辺に対応する第２側板２２ｂとから構成されている。
【００２２】
化粧パネル３は、略４角形状であり、その略中央に空調室内の空気を吸入するための吸入口３１と、各辺に対応するように形成された複数個（本実施形態では、４個）の吹出口３２とを有している。そして、化粧パネル３の各辺は、ケーシング２の天板２１の各長辺に対応するように配置されている。また、化粧パネル３の吸入口３１には、吸入グリル３３と、吸込口３１から吸入された空気中の塵埃を除去するためのフィルタ３４とが設けられている。
【００２３】
ケーシング２は、その内部に、主に、化粧パネル３の吸入口３１から空調室内の空気を吸入して外周方向に吹き出す送風機４と、送風機４の外周を囲むように配置された熱交換器６とを備えている。
送風機４は、ターボファンであり、ケーシング２の天板２１の中央部に設けられたファンモータ４１と、ファンモータ４１に連結されて回転駆動される羽根車４２とを有している。羽根車４２は、ファンモータ４１に連結される円板状のハブ４３と、ハブ４３の下面の外周部に設けられた複数のブレード４４と、ブレード４４の下側に設けられた中央に開口を有する円板状のシュラウド４５とを有している。送風機４は、ブレード４４の回転によって、シュラウド４５の開口を通じて羽根車４２の内部に空調室内の空気を吸入し、羽根車４２の外周側に吸入した空気を吹き出すようになっている。
【００２４】
熱交換器６は、屋外等に設置された熱源ユニットに冷媒配管（図示せず）を介して接続されている。これにより、熱交換器６は、冷房運転時には蒸発器として、暖房運転時には凝縮器として機能して、送風機４から吹き出された空気の温度を調節することが可能である。
熱交換器６の下側には、熱交換器６において空気中の水分が凝縮されて生じるドレン水を受けるためのドレンパン７が配置されている。ドレンパン７は、ケーシング２の下部に固定されている。ドレンパン７は、化粧パネル３の吸入口３１に対応するように形成された吸入孔７１と、化粧パネル３の吹出口３２に対応するように形成された吹出孔７２と、熱交換器６の下端部の形状に沿って形成されたドレン受け溝７３とを有している。
【００２５】
また、ドレンパン７の吸入孔７１には、送風機４へ空気を案内するためのベルマウス５が配置されている。
さらに、熱交換器６の上端部とケーシング２の天板２１との間には、ケーシング断熱材８が挟まれるように配置されている。ケーシング断熱材８は、熱交換器６の上端部とケーシング２の天板２１との間から外側に向かって延び、さらに、ケーシング２の側板２２の内面を覆うように配置されている。そして、ケーシング断熱材８の下端部は、ドレンパン７の外周部の上面まで達している。これにより、ケーシング２から外部への熱損失やケーシング２における結露等が生じないようになっている。
【００２６】
以上のように、空気調和装置１には、化粧パネル３の吸入口３１からフィルタ３４、ベルマウス５、ドレンパン７、送風機４及び熱交換器６を経由して、吹出口３２へ至るメイン空気流路９が形成されており、空調室内の空気を吸入し、空気調和した後、空調室内に吹き出すことができるようになっている。
（２）室外空気の取入構造
本実施形態の空気調和装置１は、空調室外から室外の新鮮な空気を取り入れるための構造をさらに有している。
【００２７】
ケーシング２には、図２及び図３に示すように、空調室外の空気を取り入れるための取入ダクト１０が接続されている。取入ダクト１０は、本実施形態において、円形状の断面形状を有している。本実施形態においては、取入ダクト１０は、ケーシング２の第２側板２２ｂの１つ（図３においては、紙面右上の第２側板２２ｂ）及びその第２側板２２ｂの内側に配置されたケーシング断熱材８を貫通するように形成された取入口２３に接続されている。
【００２８】
そして、ケーシング２の内部において、この取入口２３が形成された第２側板２２ｂに対向する位置には、流路形成部材１１が設けられている。流路形成部材１１は、取入口２３と所定の間隔を空けて配置された板状部材であり、その上端部はケーシング２の天板２１の下面（又は、天板２１の下面を覆うケーシング断熱材８）に当接し、下端部はドレンパン７の上端部に当接し、両側端部は側板２２（又は、側板２２を覆うケーシング断熱材８）に当接している。これにより、取入口２３から導入された空気をケーシング２の下方に流す流路１２が形成されている。
【００２９】
また、ドレンパン７には、流路１２を通過した空気をケーシング２の下方に流すドレンパン貫通孔７４が形成されている。
このように、ケーシング２内には、流路１２とドレンパン貫通孔７４とからなる連絡流路１３が形成されており、取入口２３から導入した空気をケーシング２の下部まで流すことが可能になっている。
【００３０】
さらに、化粧パネル３には、連絡流路１３（すなわち、ドレンパン貫通孔７４）を通過した空気を吸入口３１に導く取入流路３５が設けられている。ここで、ドレンパン７と化粧パネル３との上下方向間には、化粧パネル３における結露等を防ぐためのパネル断熱材１４が設けられている。このため、パネル断熱材１４には、連絡流路１３と取入流路３５とを連通するための連通用貫通孔１４ａが形成されている。このように、取入口２３から導入された空調室外の空気は、連絡流路１３、連通用貫通孔１４ａ及び取入流路３５を経由して、化粧パネル３の吸入口３１から吸入される空調室内の空気に合流されて、送風機４に吸入されるようになっている。
【００３１】
次に、取入流路３５及びその付近の構造について、図４〜図７を用いて詳述する。ここで、図４は図３の連絡流路１３及び取入流路３５付近の拡大図であり、図５は図４のＣ−Ｃ断面図であり、図６は図４のＥ−Ｅ断面図（パネル断熱材１４、吸入グリル３３及びフィルタ３４を除く）であり、図７は図６のＦ矢視図である。
【００３２】
化粧パネル３は、パネル支持部１７（支持部材）を介して、ケーシング２の下部に固定されている。具体的には、以下のとおりである。
化粧パネル３の吸入口３１の各角部には、ボルト孔３６ａを有する固定部３６が設けられている。
ドレンパン７には、化粧パネル３のボルト孔３６ａの位置に対応するようにボルト１５が設けられている。本実施形態において、ボルト１５は、ドレンパン７のドレン受け溝７３側から下方に貫通するように設けられている。また、ドレンパン７の下面には、補強板１６が設けられている。補強板１６は、ドレンパン７の各角部（すなわち、吹出孔７２間）に配置されており、その一端にはボルト１５が貫通するボルト孔１６ａが形成されており、他端にはケーシング２の第２側板２２ｂの下端部に設けられた補強板支持部２４にネジ止め固定される固定部１６ｂが形成されている。これにより、ボルト１５は、ドレンパン７によって直接固定されるとともに、補強板１６を介してケーシング２に固定されている。このように、ドレンパン７、ボルト１５、補強板１６及び補強板固定部２４によって、パネル支持部１７が構成されている。
【００３３】
そして、化粧パネル３は、固定部３６において、ボルト孔３６ａにボルト１５が挿通された後、ナット１８を締め付けることによってケーシング２の下部に固定されている。
ここで、補強板１６は、図５に示されるように、ドレンパン７のドレンパン貫通孔７４（すなわち、連絡流路１３）に重ならないように切り欠かれている。これにより、連絡流路１３から取入流路３５へ向かう空気の流れを確保することが可能になっている。
【００３４】
また、連絡流路１３とパネル断熱材１４の連通用貫通孔１４ａとは、図７に示すように、ほぼ同じ流路断面形状を有している。そして、取入流路３５は、連通用貫通孔１４ａとの接続部が連通用貫通孔１４ａの流路断面のサイズよりも大きな流路断面を有する接続部３５ａと、この接続部３５ａから吹出口３２間を延びて吸入口３１の角部に吹き出すように設けられた長方形状の流路断面を有する流路部３５ｂとを有している。この流路部３５ｂの流路断面積Ｓ2は、連絡流路１３の流路断面積Ｓ1と同じかそれ以上の断面積を有している。さらに、取入流路３５は、固定部３６の下側で、かつ、フィルタ３４の上側に空気を吹き出すように設けられている。
【００３５】
（３）空気調和装置の動作
次に、空気調和装置１の動作について、図２を用いて説明する。
まず、運転が開始されると、ファンモータ４１が駆動されて、送風機４の羽根車４２が回転する。また、ファンモータ４１の駆動とともに、熱交換器６には冷媒が循環される。ここで、熱交換器６は、冷房運転時には蒸発器として、暖房運転時には凝縮器として作用する。そして、羽根車４２の回転に伴って、空調室内の空気が、化粧パネル３の吸入口３１からフィルタ３３及びベルマウス５を介して、送風機４の下側から吸入される。この空気が、羽根車４２によって外周側に吹き出されて熱交換器６に達し、熱交換器６において冷却又は加熱された後、各吹出口３２から空調室内に向かって吹き出されて、室内の冷房又は暖房を行うことになる（図２の矢印Ｇ参照）。
【００３６】
上記の運転動作中において、取入ダクト１０のダンパー等を開けて、空調室外の空気を取り入れることが可能な状態にすると、空調室外の空気は、取入ダクト１０、連絡流路１３及び取入流路３５を通じて、吸入口３１から吸入される空調室内の空気にフィルタ３４の下流側で合流し、送風機４に吸入される（図２の矢印Ｈ参照）。
【００３７】
これにより、室外の新鮮な空気を空調室内に取り入れつつ、空調運転を行うことができる。
（４）空気調和装置の特徴
本実施形態の空気調和装置１には、以下のような特徴がある。
▲１▼空気調和装置１では、取入流路３５は、従来のような取入流路がドレンパンと化粧パネルとの上下方向間の狭いスペースに設けられている場合に比べて、上下方向のスペースに余裕がある化粧パネル３に設けられている。このため、取入流路３５の流路面積を大きくすることが可能となり、空調室外から取り入れられる空気の量を増やすことが可能である。
【００３８】
▲２▼空気調和装置１では、空調室外から取り入れられる空気がフィルタ３４の下流側にに合流されるようにしているため、空調室外の空気の取り入れ量をさらに増やすことが可能である。
▲３▼空気調和装置１では、取入流路３５が化粧パネル３の角部に設けられているため、吹出口３２間のスペースを有効に利用することができている。
【００３９】
▲４▼空気調和装置１では、パネル支持部１７を構成する補強板１６の連絡流路１３と重なる部分が切り欠かれているため、連絡流路１３と取入流路３５との接続部分の流路面積を小さくすることなく、連絡流路１３と取入流路３５とを連通させることができる。このため、例えば、大きな吹出孔７２及び吹出口３２を有し、ケーシング２の角部のスペースが小さくせざるを得ない場合においても、連絡流路１３から取入流路３５への空気の流れを確保することができる。
【００４０】
［第２実施形態］
前記実施形態においては、取入ダクト１０と接続する取入口２３をケーシング２の天板２１の短辺に対応する第２側板２２ｂに設けているが、天板２１の長辺に対応する第１側板２２ａに設けてもよい。
具体的には、本実施形態の空気調和装置１０１は、図８に示すように、取入ダクト１１０をケーシング１０２の第１側板２２ａの１つ（図８においては、紙面右側の第１側板２２ａ）及びその第１側板２２ａの内側に配置されたケーシング断熱材８を貫通するように形成された取入口１２３に接続されている。
【００４１】
そして、ケーシング１０２の内部において、この取入口１２３が形成された第１側板２２ａに対向する位置には、流路形成部材１１１が設けられている。流路形成部材１１１は、取入口１２３と所定の間隔を空けて配置された板状部材であり、その上端部はケーシング１０２の天板２１の下面（又は、天板２１の下面を覆うケーシング断熱材８）に当接し、下端部はドレンパン７の上端部に当接し、両側端部は側板２２（又は、側板２２を覆うケーシング断熱材８）に当接している。これにより、取入口１２３から導入された空気をケーシング１０２の下方に流す流路１１２が形成されている。尚、流路１１２は、取入口１２３が第１側板２２ａに設けられているため、取入ダクト１１０から導入された空気をケーシング１０２の角部側（隣接する第２側板２２ｂ側）に導いた後、下方に流すような流路形状になっており、この点が第１実施形態の流路１２と異なる。
【００４２】
このように、空気調和装置１０１では、取入口１２３を第１側板２２ａに設けているため、取入口１２３の直径Ｄ2を第１実施形態の空気調和装置１の取入口２３の直径Ｄ1（図３参照）に比べて大きくすることができる。これにより、本実施形態の空気調和装置１０１は、第１実施形態の空気調和装置１と同様な効果に加えて、取入口の流路面積を大きくすることができて、空調室外から取り入れられる空気の取り入れ量をさらに増やすことが可能になる。
【００４３】
［他の実施形態］
以上、本発明の実施形態について図面に基づいて説明したが、具体的な構成は、これらの実施形態に限られるものではなく、発明の要旨を逸脱しない範囲で変更可能である。
（１）前記実施形態では、化粧パネルをケーシングに支持させるための構成として、ドレンパン、ボルト、補強板及び補強板固定部からなるパネル支持部を適用したが、他の構成であってもよい。
【００４４】
（２）補強板の切り欠きの形状は、前記実施形態に限定されず、連絡流路の断面形状等に応じて適宜変更可能である。
（３）前記実施形態では、取入ダクトの断面形状が円形のものを採用したが、矩形形状等の他の形状であってもよい。
（４）前記実施形態では、連絡流路はケーシング断熱材と流路形成部材とによって形成しているが、ケーシング断熱材と一体に形成されていてもよい。
【００４５】
【発明の効果】
以上の説明に述べたように、本発明によれば、以下の効果が得られる。
請求項１又は２にかかる発明では、取入流路が、従来のような取入流路がドレンパンと化粧パネルとの上下方向間の狭いスペースに設けられている場合に比べて、スペースに余裕がある化粧パネルに設けられているため、流路面積を大きくして、空調室外から取り入れることができる空気の量を増やすことが可能である。
【００４６】
請求項３にかかる発明では、空調室外から取り入れられる空気がフィルタの下流側にに合流されるようにしているため、空調室外の空気の取り入れ量をさらに増やすことが可能である。
請求項４にかかる発明では、取入流路が化粧パネルの角部に設けられているため、吹出口間のスペースを有効に利用することができて、空調室外の空気の取り入れ量をさらに増やすことが可能である。
【００４７】
請求項５にかかる発明では、支持部材の連絡流路と重なる部分が切り欠かれているため、ケーシングの角部のスペースが小さくせざるを得ない場合においても、連絡流路から取入流路への空気の流れを確保することができる。
請求項６にかかる発明では、ケーシングの長辺に対応して取入口が設けられているため、空調室外から取り入れられる空気の通風抵抗が少なくなり、取り入れ量をさら増やすことが可能である。
【図面の簡単な説明】
【図１】本発明の第１実施形態の空気調和装置の外観斜視図。
【図２】第１実施形態の空気調和装置の概略側面断面図であって、図３のＡ−Ｏ−Ａ断面図。
【図３】第１実施形態の空気調和装置の概略平面断面図であって、図２のＢ−Ｂ断面図。
【図４】図３の拡大図であって、連絡流路及び取入流路付近を示す図。
【図５】図４のＣ−Ｃ断面図。
【図６】図４のＥ−Ｅ断面図（パネル断熱材、吸入グリル及びフィルタを除く）。
【図７】図６のＦ矢視図。
【図８】第２実施形態の空気調和装置の概略平面断面図であって、図３に相当する図。
【符号の説明】
１、１０１  空気調和装置
２、１０２  ケーシング
３  化粧パネル
４  送風機
１３  連絡流路
２３  取入口
３１  吸入口
３２  吹出口
３５  取入流路
【図１】
2004198014.tif 000003
【図２】
2004198014.tif 000004
【図３】
2004198014.tif 000005
【図４】
2004198014.tif 000006
【図５】
2004198014.tif 000007
【図６】
2004198014.tif 000008
【図７】
2004198014.tif 000009
【図８】
2004198014.tif 000010